(57)【要約】【課題】Ｘ線透視下で被検者の検査や治療を行うとき、術者は透視像が表示されたモニタ画面と被検者の検査部位との間で繰り返し視線を往復させねばならないので疲労が増大する。【解決手段】コリメータ２に光照射野の光源ランプの代わりにビデオプロジェクタ１２を取り付け、イメージインテンシファイア３とテレビカメラ５により得られる透視画像を画像処理ユニット１３を経由してビデオプロジェクタ１２に送り、透視画像を被検者９の体表面上のＸ線照射野に相当する場所に投影表示する。【選択図】          図１
2006334096.tif 000002
【特許請求の範囲】
【請求項１】
Ｘ線管装置と前記Ｘ線管装置の前面に取り付けてＸ線の照射野を制限するＸ線コリメータと高電圧発生器と撮影台とＸ線受光部とモニタ装置により構成されるＸ線透視撮影装置において、投影レンズから投射される投影光の中心軸が前記Ｘ線コリメータの内部に設置された反射鏡の反射面に関して前記照射野を形成するＸ線の中心軸と対象になるように前記Ｘ線コリメータに取り付けられ、前記撮影台上に載置された被検体に画像を投影する画像投影手段と、前記Ｘ線受光部から与えられる画像信号を処理して前記画像投影手段に出力する画像処理手段を設けたことを特徴とするＸ線透視撮影装置。
【発明の詳細な説明】
【技術分野】
【０００１】
本発明はＸ線を用いて診断のために被検体の透視撮影を行うＸ線透視撮影装置に関わる。
【背景技術】
【０００２】
一般にＸ線透視撮影装置においては、例えば図２に示すようにイメージインテンシファイア３と対向してＸ線保持装置７に保持されたＸ線管装置１に高電圧発生器１０から高電圧が印加されて発生するＸ線のうち撮影に不要な部分を遮蔽して被検者９の被曝を低減させるために、Ｘ線管装置１の前面にコリメータ２が取り付けられる。通常コリメータ２は矩形の照射野を形成するために、互いに直交して開閉動作を行う縦横各一対のコリメータリーフ２Ｄを内蔵しているが、図２では説明の都合上、縦方向の一対のコリメータリーフ２Ｄのみを表示し、横方向のコリメータリーフ２Ｄについては省略している。術者（図示しない）は縦横各一対のコリメータリーフ２Ｄのそれぞれを、コントロールユニット１１に接続された操作パネル１４を操作することにより、コリメータ駆動部２Ｅを介して開閉動作させる。
【０００３】
ただしＸ線撮影前に術者が照射野寸法の調整を、撮影台８の上の被検者９にＸ線を照射し、イメージインテンシファイア３、光学系４、テレビカメラ５により構成されるＸ線受光部から出力されモニタ装置６に表示される透視画像を観察しながら行うことは被検者９の被曝の増加につながるので、通常コリメータ２は光源となるランプ２Ｂを内蔵し、Ｘ線の代わりに光を照射する機能を有している。具体的には図２に示すように、コリメータ２の内部のＸ線の通路上にＸ線吸収の少ないアクリル等で作られたミラー２Ａが設置され、その反射面についてＸ線焦点位置１Ａと対象の位置にスリット２Ｃが配置され、スリット２Ｃの近傍でミラー２Ａの反対側にランプ２Ｂが配置される。このような構成により、ランプ２Ｂから照射され、スリット２Ｃを通過し、ミラー２Ａで反射され、２対のコリメータリーフ２Ｄの間を通過した光はＸ線が形成するのと同じ照射野を形成するので、術者は光による照射野を見ながらＸ線照射野の寸法や位置を決めることができる（例えば特許文献１参照）。
【０００４】
一方Ｘ線透視時には術者はモニタ装置６に表示される透視画像を観察しながら照射野の寸法調整や被検者９の位置決めを行うとともに、骨折整復や血管造影のためのカテーテルの挿入等検査や治療のための作業を行う。
【特許文献１】特開２００５−００６９７１号公報
【発明の開示】
【発明が解決しようとする課題】
【０００５】
上記のように透視下で検査や治療のための作業を行うとき、術者は撮影台の近傍に設置されたモニタ装置に表示された透視画像を観察しながら、撮影台上の被検者に対して骨折の整復やカテーテルの挿入等必要な作業を行う。そのため術者は作業中モニタ画面と被検者の検査部位との間で繰り返し視線を往復させねばならず、この作業は術者の疲労を増大させる。本発明はこのような事情に鑑み、透視下で検査や治療のための作業を行うとき、モニタ画面と被検者との間で繰り返し視線を往復させねばならないという術者の負担を軽減することを目的とする。
【課題を解決するための手段】
【０００６】
本発明は上記の目的を達成するために、Ｘ線管装置と前記Ｘ線管装置の前面に取り付けてＸ線の照射野を制限するＸ線コリメータと高電圧発生器と撮影台とＸ線受光部とモニタ装置により構成されるＸ線透視撮影装置において、投影レンズから投射される投影光の中心軸が前記Ｘ線コリメータの内部に設置された反射鏡の反射面に関して前記照射野を形成するＸ線の中心軸と対象になるように前記Ｘ線コリメータに取り付けられ、前記撮影台上に載置された被検体に画像を投影する画像投影手段と、前記Ｘ線受光部から与えられる画像信号を処理して前記画像投影手段に出力する画像処理手段を設けたＸ線透視撮影装置を提供する。
【発明の効果】
【０００７】
本発明により術者は通常Ｘ線撮影前に行う、コリメータに内蔵されたランプからの光による照射野の寸法や位置の決定を、ランプの代わりにコリメータに取り付けられた画像投影手段からの光によって従来と同様に行うことができるとともに、透視下で検査や治療のための作業を行うとき、被検者の体表面あるいは検査や治療のため着用した衣服の上のＸ線照射野に相当する場所に投影された透視画像あるいは画像処理された透視画像を観察しながら作業を進められるため、モニタ画面と被検者の検査部位との間で繰り返し視線を往復させねばならないという術者の負担が大幅に軽減される。またこの結果作業時間が短縮されるので被検者および術者のＸ線被曝の低減にもつながる。
【発明を実施するための最良の形態】
【０００８】
以下に本発明の実施例を、Ｘ線透視下で行われる骨折整復作業について、図１を用いて説明する。なお図１において図２と同じ符号で示される部品あるいはユニットは図２と同じなのでそれらの説明は省略する。
【０００９】
術者が被検者９を撮影台８の上に載せた後、コントロールユニット１１に接続され、通常撮影台８の近傍の床に置かれているフットスイッチ（図示しない）を踏むと、コントロールユニット１１が高電圧発生器１０を駆動してＸ線管装置１に高電圧を印加しＸ線が照射される。被検者９を透過したＸ線はイメージインテンシファイア３により光学像に変換され、光学系４を経由して入力されたテレビカメラ５によりビデオ信号に変換される。テレビカメラ５から画像処理ユニット１３に入力されたビデオ信号はデジタル化され、スムージングあるいはエッジ強調等所定の画像処理を施された後モニタ装置６に出力されるとともに、コリメータ２に取り付けられたビデオプロジェクタ１２にも出力される。なおビデオプロジェクタ１２はビデオ信号により与えられる画像をスクリーン等に投影表示する装置であり、据付時等にビデオプロジェクタ１２のサイズ調整機能により、イメージインテンシファイア３の受光部全域を表す円形の画像を投影したときその画像の直径がイメージインテンシファイア３の受光面上で受光部の直径と一致するように調整される。これにより、被検者９の体表面上に投影される透視像はほぼ実物大になる。
【００１０】
ここではビデオプロジェクタ１２についてはカラー画像対応のものを用い、画像処理ユニット１３はモニタ装置６に出力する白黒の諧調表示による画像の代わりに、コントロールユニット１１に接続された操作パネル１４の設定により指定される色の諧調表示による画像を出力する。
【００１１】
ビデオプロジェクタ１２は、図２で説明したミラー２Ａの反射面についてＸ線焦点位置１Ａと対象の位置に配置されたスリット２Ｃおよびその近傍に配置されたランプ２Ｂの代わりとして、投影レンズから投射される投影光の中心軸がミラー２Ａの反射面に関して照射野を形成するＸ線の中心軸と対象になるようにコリメータ２に取り付けられている。これによりビデオプロジェクタ１２から投影された画像が被検者９の体表面上のＸ線照射野に相当する場所に投影される。術者は操作パネル１４を操作して被検者９の体表面上に投影された骨の画像が最も見やすくなる色を選択する。
【００１２】
これにより術者は被検者９の体表面上に投影された透視像を見ながら骨折整復作業を進められるので、従来のモニタ装置６を見ながら行う作業に比べて疲労度が大幅に軽減される。またこの結果作業時間が短縮されるので被検者９および術者のＸ線被曝の低減にもつながる。
【００１３】
なおＸ線撮影前にビデオプロジェクタ１２から照射される光により照射野の寸法や位置を決めるとき画像処理ユニット１３はビデオプロジェクタ１２に対して画面全体が一様で作業を行うのに適当な輝度の画像を出力する。このことは透視終了時に自動的に、または操作パネル１４の操作により行われる。
【００１４】
上記の実施例はＸ線透視下で行われる骨折整復作業について述べたが、循環器Ｘ線検査のときＸ線透視下で行われるカテーテル挿入等Ｘ線透視下で行われるその他の作業についても有効である。
【００１５】
上記の実施例で画像処理ユニット１３が出力する画像の例としてスムージングあるいはエッジ強調された画像をあげたが、操作パネル１４の操作によりカーソルや文字情報を透視像に重ねた画像や、画像処理により得られた画像をより見やすくするために擬似カラー化した画像等、それぞれの術式ごとに有効な画像処理を施した画像を出力する。
【００１６】
上記の実施例ではＸ線受光部をイメージインテンシファイア３、光学系４およびテレビカメラ５により構成したが、そのかわりにフラットパネル型検出器により構成してもよい。
【００１７】
被検者９および術者のＸ線被曝を低減するために透視を断続して行い、透視遮断時に最後の１フレーム分の画像を画像メモリに記憶し、透視遮断中その記憶画像をモニタ装置６に出力し表示させる方法が従来より用いられているが、本発明の実施に際しても同様に透視遮断時に最後の１フレーム分の画像を画像処理ユニット１３内の画像メモリに記憶し、透視遮断中その記憶画像をモニタ装置６およびビデオプロジェクタ１２に出力し表示させてもよい。
【産業上の利用可能性】
【００１８】
本発明はＸ線を用いて診断のために被検体の透視撮影を行うＸ線透視撮影装置に関わる。
【図面の簡単な説明】
【００１９】
【図１】本発明の実施例を説明するための図である。
【図２】従来の透視下での検査方法を説明するための図である。
【符号の説明】
【００２０】
１：Ｘ線管装置
１Ａ：Ｘ線焦点位置
２：コリメータ
２Ａ：ミラー
２Ｂ：ランプ
２Ｃ：スリット
２Ｄ：コリメータリーフ
２Ｅ：コリメータ駆動部
３：イメージインテンシファイア
４：光学系
５：テレビカメラ
６：モニタ装置
７：Ｘ線保持装置
８：撮影台
９：被検者
１０：高電圧発生器
１１：コントロールユニット
１２：ビデオプロジェクタ
１３：画像処理ユニット
１４：操作パネル
【図１】
2006334096.tif 000003
【図２】
2006334096.tif 000004